(57)【要約】【課題】淡水化処理で使用する薬品を淡水化処理の過程で生じる物質から製造するとともに、外部からの薬品の供給を不要にし、消費電力を削減する。【解決手段】原水を、淡水と塩分の濃度が高い濃縮水とに分離する淡水化装置と、淡水化装置で得られた濃縮水に、炭酸ガスを接触させて炭酸塩を生成する炭酸ガス接触装置と、炭酸ガス接触装置で生成された炭酸塩を含む濃縮水を濾過して濃縮水から炭酸塩を除去する炭酸塩濾過装置と、炭酸塩濾過装置で炭酸塩が除去された濃縮水を電解処理して、当該淡水化システムで使用する薬品を生成する電解装置とを備える。【選択図】図１
2011056345.tif 000002
【特許請求の範囲】
【請求項１】
塩分を含む原水から淡水を生成する処理過程で薬品を使用する淡水化システムであって、
原水を、淡水と塩分の濃度が高い濃縮水とに分離する淡水化装置と、
前記淡水化装置で得られた濃縮水に、炭酸ガスを接触させて炭酸塩を生成する炭酸ガス接触装置と、
前記炭酸ガス接触装置で生成された炭酸塩を含む濃縮水を濾過して濃縮水から炭酸塩を除去する炭酸塩濾過装置と、
前記炭酸塩濾過装置で炭酸塩が除去された濃縮水を電解処理して、当該淡水化システムで使用する前記薬品を生成する電解装置と、
を備えることを特徴とする淡水化システム。
【請求項２】
前記炭酸ガス接触装置に送水する前の濃縮水に、アルカリを供給するアルカリ水ラインと、
前記炭酸ガス接触装置の前段に配置され、前記アルカリ水ラインを介して供給されたアルカリによって生成された水酸化物を含む濃縮水を濾過し、水酸化物を除去した濃縮水を前記炭酸ガス接触装置に送水する水酸化物濾過装置と、
を更に備えることを特徴とする請求項１に記載の淡水化システム。
【請求項３】
前記電解装置は、濃縮水から薬品としてアルカリを生成し、
前記アルカリ水ラインは、前記電解装置で生成されたアルカリを濃縮水に供給する
ことを特徴とする請求項２に記載の淡水化システム。
【請求項４】
前記電解装置は、濃縮水から薬品としてアルカリ及び塩素を生成し、
前記電解装置で生成されたアルカリ及び塩素を反応させて、薬品として次亜塩素酸ナトリウムを生成する次亜塩素酸ナトリウム生成装置を更に備える
ことを特徴とする請求項１乃至３のいずれか１に記載の淡水化システム。
【請求項５】
前記次亜塩素酸ナトリウム生成装置で生成された次亜塩素酸ナトリウムを前記淡水化装置で得られた淡水に供給する次亜塩素酸ナトリウムラインを更に備える
ことを特徴とする請求項４に記載の淡水化システム。
【請求項６】
前記電解装置は、濃縮水から薬品として塩素、水素及び酸を生成し、
前記電解装置で生成された塩素及び水素を反応させて塩化水素ガスを発生させる塩化水素発生装置と、
前記電解装置で生成された酸に、前記塩化水素発生装置で発生させた塩化水素ガスを溶解して新たな薬品として塩酸を生成する
ことを特徴とする請求項１乃至５のいずれか１に記載の淡水化システム。
【請求項７】
炭酸ガスの微細気泡を発生する微細気泡発生装置を更に備え、
前記炭酸ガス接触装置は、前記微細気泡発生装置で発生された炭酸ガスの微細気泡を濃縮水に接触させることを特徴とする請求項１乃至６のいずれか１に記載の淡水化システム。
【請求項８】
発電装置と接続され、
前記炭酸ガス接触装置は、発電装置から排出される排ガス中の炭酸ガスを濃縮水に接触させる炭酸ガスとして利用することを特徴とする請求項１乃至７のいずれか１に記載の淡水化システム。
【請求項９】
前記電解装置は、前記電解装置で生成した水素を前記発電装置に供給することを特徴とする請求項８に記載の淡水化システム。
【発明の詳細な説明】
【技術分野】
【０００１】
本発明は、塩分を含む水を淡水化する淡水化システムに関する。
【背景技術】
【０００２】
海水やかん水等の塩分（塩類を含む水を淡水化する方法として、蒸発法、電気透析法や逆浸透法の３つの方法が一般的である。
【０００３】
蒸発法は、これら３つの方法の中で最も古くから利用されている方法であり、海水を加熱して蒸発させ、水蒸気を冷却して淡水を得る方法である。この蒸発法は、スケールメリットが効く方法であるが、海水を蒸発させるため、消費エネルギーが大きい問題がある。したがって、大規模な発電プラント等の廃熱を利用することができる場合に蒸発法を利用することが多い。
【０００４】
電気透析法は、陽イオン交換膜と陰イオン交換膜の間に海水を通し、両膜の外側から直接電圧をかけ、海水中の陽イオンであるナトリウムイオンと陰イオンである塩素イオンとを移動させて淡水を得る方法である。この電気透析法は、塩分濃度が濃くなるにつれて消費エネルギーが大きくなるため、塩分濃度が低い海水の淡水化に利用することが多い。
【０００５】
逆浸透法は、水を通し、塩分を通しにくい半透膜の片側に海水を入れて海水に所定の圧力（例えば、６．５ＭＰａ程度）を加えることにより、逆浸透作用によって透過した塩分を含まない透過水（淡水）を得る方法である。この逆浸透法は、蒸発法や電気透析法よりも少ないエネルギーで淡水化ができるため、近年、塩濃度が高い海水の淡水化を中心に利用されている。
【０００６】
しかし、蒸発法、電気透析法及び逆浸透法のいずれの方法を利用する淡水化システムにおいても、システム内の生物繁殖が原因で発生する装置の故障、配管の閉塞、膜（電気透析膜、逆浸透膜）の閉塞等を防止するため、処理対象の海水（原水）に塩素や次亜塩素酸ナトリウム等の殺菌剤を添加している。また、前処理として、原水に凝集剤を注入し、原水中の固形成分を凝集させて予め分離除去している。この凝集剤注入の前には、固形物を効率よく凝集するため、ｐＨ調整剤を添加して原水のｐＨを調整することもある。さらに、淡水化された処理水にも、ｐＨを調整するためのｐＨ調整剤を添加したり、次亜塩素酸ナトリウム等の殺菌剤を添加したりする。
【０００７】
また、電気透析法又は逆浸透法の淡水化システムでは、海水中の金属成分（イオン）が膜（電気透析膜、逆浸透膜）の表面に析出して膜が閉塞することがある。したがって、膜の閉塞を抑制するため、酸で処理原水を酸性にすることがある。
【０００８】
さらに、逆浸透法の淡水化システムでは、逆浸透膜で海水中のホウ素を除去することは困難である。そのため、逆浸透膜を二段直列に配置し、後段の逆浸透膜の前にアルカリ（例えば、苛性ソーダ）を添加して海水をアルカリ性にすることで、二段目のホウ素除去率を向上させる淡水化システムもある（例えば、特許文献１参照）。
【０００９】
また、逆浸透膜の種類には、主に、アセチレンセルロース系とポリアミド系とがある。ポリアミド系の膜の方が、アセチレンセルロース系の膜よりもトリハロメタンや有機物の除去率が高い一方、塩素などの酸化剤による酸化劣化が大きい。したがって、逆浸透膜の淡水化システムでは、酸化による劣化を防止するため、重亜硫酸ナトリウム（ＳＢＳ）等の還元剤を添加して残留塩素を除去しておく必要がある（例えば、特許文献２参照）。
【００１０】
このように、淡水化システムでは、殺菌剤、酸、アルカリ、ｐＨ調整剤、還元剤等の薬品を原水に供給する必要があるため、薬品供給の構成が必要になり、システム構成が煩雑化するとともに、薬品の輸送や貯蔵の手間が必要な問題がある。また、このように原水に薬品を供給する淡水化システムでは、薬品供給にコストが必要な問題がある。
【００１１】
このように薬品供給に関する問題を解決するため、淡水化処理の過程で生じる濃縮水の一部を隔膜型電気透析槽で電解して酸、アルカリ、殺菌剤（塩素）等の薬品を製造し、ここで製造した塩素を淡水化システムで利用する方法もある（例えば、特許文献３及び４参照）。
【００１２】
しかしながら、淡水化システムで生じる濃縮水には、淡水化には関係のないカルシウムイオン（Ｃａ2+）やマグネシウムイオン（Ｍｇ2+）等の多価陽イオンが多く含まれている。カルシウムイオンやマグネシウムイオン等の多価陽イオンは、隔膜電解装置内のイオン交換膜表面に析出するファウリングの原因となるため、原水に多価陽イオンが含まれていると、電解効率が悪化し、消費電力が増大する。また、原水に多価陽イオンが含まれていると、陰極で多価陽イオンが還元されて消費電力が増大する。したがって、淡水化システムで生じる濃縮水から製造した薬品を利用すると必要な電力量が増大する問題がある。
【００１３】
淡水化で使用する薬品の消費量を低減するため、特許文献３及び４に記載の淡水化システムでは、まず、電解装置で生成したアルカリ（苛性ソーダ）を注入し、カルシウムイオンやマグネシウムイオン等の多価陽イオンの水酸化物として沈殿濾過する（第１工程）。次に、薬品製造とは別の隔膜電解装置を設け、多価陽イオンを還元除去する（第２工程）。続いて、イオン交換キレート樹脂で多価陽イオンを吸着除去した濃縮水を薬品製造用隔膜電解装置で電解して、淡水化システムで必要な薬品を製造する（第３工程）。この方法を利用した場合、淡水化で使用する薬品を淡水化処理の過程で生じる物質から製造することができるため、あらかじめ用意する薬品の量を低減することができる。なお、Ｃａ2+を除去するため、第１工程のアルカリの代わりに苛性ソーダ水（ＮａＯＨ）に空気を通気して空気中の炭酸ガスを吸収した炭酸ナトリウム（Ｎａ2ＣＯ3）を供給し、炭酸カルシウム（ＣａＣＯ3）として沈殿濾過してもよい。
【００１４】
しかしながら、例えば、濃縮水中のカルシウムイオン（Ｃａ2+）の水酸化物（Ｃａ（ＯＨ）2）は、水の溶解度が０．１７ｇ／１００ｃｍ3（２５℃の場合）と大きい。したがって、アルカリ（苛性ソーダ）を添加するのみでは、十分に多価陽イオンを除去できない。一方、空気中の炭酸ガスを吸収した炭酸ナトリウム（Ｎａ2ＣＯ3）の溶解度は、０．００１４ｇ／１００ｃｍ3（２５℃の場合）にまで除去できるが、炭酸マグネシウム（ＭｇＣＯ3）の溶解度は、０．００９４ｇ／１００ｃｍ3（２５℃の場合）となり、濃縮水中に微量のＭｇ2+が残留する。
【００１５】
したがって、特許文献３及び４に記載の淡水化システムでは、第２工程で隔膜電解装置の設置が必要となる問題がある。また、特許文献３及び４に記載の淡水化システムでは、第３工程でイオン交換キレート樹脂によって多価陽イオンを吸着除去しているが、多価陽イオン吸着用の隔膜電解装置において消費電力の増加や電解効率の低下が生じる問題がある。
【００１６】
また、海水を直接電解して殺菌剤の次亜塩素酸ナトリウムを生成する技術がある（例えば、特許文献５参照）。
【００１７】
この特許文献５に記載の技術は、海水を冷却水として使う発電プラントや化学プラントで使用した場合、海水を電解して生成した次亜塩素酸ナトリウムで海水を殺菌剤とし、冷却配管中の貝の付着等の生物繁殖を抑制することができる。
【００１８】
一方、この特許文献５に記載の技術は、海水を直接電解して次亜塩素酸ナトリウムを生成するため、海水中の臭化物イオンが電解酸化されて発ガン性の臭素酸イオン（ＢｒＯ3-）が発生するため、飲料用の淡水の消毒剤としては好ましくない。
【先行技術文献】
【特許文献】
【００１９】
【特許文献１】特開２００６−１２２７８７号公報
【特許文献２】特開２００８−２９９６５号公報
【特許文献３】特開平６−２６２１７２号公報
【特許文献４】特開平６−２６９７７７号公報
【特許文献５】特開２００８−２９７６０４号公報
【発明の概要】
【発明が解決しようとする課題】
【００２０】
上述したように、従来の淡水化処理では、処理の過程で多量の薬品が必要になるとともに、消費電力が増大する問題があった。
【００２１】
本発明は、上記課題に鑑み、淡水化処理において、淡水化処理で使用する薬品を、淡水化処理の過程で生じる物質から製造し、外部からの薬品の供給を不要にするとともに、消費電力を削減する容易なシステム構成の淡水化システムを提供することを目的とする。
【課題を解決するための手段】
【００２２】
上記の課題を解決するために、本発明は、塩分を含む原水から淡水を生成する処理過程で薬品を使用する淡水化システムであって、原水を、淡水と塩分の濃度が高い濃縮水とに分離する淡水化装置と、淡水化装置で得られた濃縮水に、炭酸ガスを接触させて炭酸塩を生成する炭酸ガス接触装置と、炭酸ガス接触装置で生成された炭酸塩を含む濃縮水を濾過して濃縮水から炭酸塩を除去する炭酸塩濾過装置と、炭酸塩濾過装置で炭酸塩が除去された濃縮水を電解処理して、当該淡水化システムで使用する薬品を生成する電解装置とを備える。
【発明の効果】
【００２３】
本発明は、淡水化処理で使用する薬品を淡水化処理の過程で生じる物質から製造するとともに、外部からの薬品の供給を不要にし、消費電力を削減することができる。
【図面の簡単な説明】
【００２４】
【図１】本発明の実施形態に係る淡水化システムの概略図である。
【図２】図１の淡水化システムの前処理装置を説明する図である。
【図３】図１の淡水化システムの淡水化装置を説明する図である。
【図４】図１の淡水化システムの電解前処理装置を説明する図である。
【図５】図１の淡水化システムの電解装置を説明する図である。
【図６】一般的な淡水化システムで利用される次亜塩素酸ナトリウム生成装置を説明する図である。
【発明を実施するための形態】
【００２５】
以下に、図面を用いて本発明の各実施形態に係る淡水化システムについて説明する。以下の説明において、同一の構成については同一の符号を付して説明を省略する。
【００２６】
図１に示すように、本発明の実施形態に係る淡水化システム１は、送水ポンプ１０によって海水等の塩分を含む原水が送水される前処理装置２０と、前処理装置２０で処理された原水が導入され、淡水化する淡水化装置３０と、前処理装置２０及び淡水化装置３０の処理で利用される塩化水素を発生させる塩化水素発生装置４０と、淡水化装置３０で得られた原水の濃縮水を濾過処理する電解前処理装置５０と、電解前処理装置５０で処理された濃縮水を電解処理する電解装置６０と、淡水化装置３０で得られた淡水に供給する次亜塩素酸ナトリウム水を生成する次亜塩素酸ナトリウム生成装置７０とを備えている。また、淡水化システム１は、発電装置８０と接続されている。
【００２７】
以下の説明では、淡水化システム１で、塩分濃度が３．５％であって、塩分組成が、塩化ナトリウム７８％、塩化マグネシウム９．８％、硫酸マグネシウム６．０％、硫酸カルシウム４．０％、塩化カリウム２．０％、その他０．３％の原水を淡水化する場合を例に説明する。
【００２８】
［前処理装置］
前処理装置２０は、淡水化の処理対象である原水を前処理する装置であって、図２に示すように、送水ポンプ１０によって送水された原水が流れる第１原水ラインＬ１に凝集剤を供給する凝集剤供給装置２１と、凝集剤が供給された原水を濾過する濾過装置２２とを有している。
【００２９】
第１原水ラインＬ１を流れる原水には、電解装置６０と接続される塩素ラインＬ６１から電解装置６０で生成された塩素ガスが供給される。塩素ガスが供給された原水では、塩素の酸化作用によって海水中の貝類や微生物が殺菌される。原水を塩素によって殺菌することで、その後の原水の送水工程で、原水中に含まれる貝類や微生物等の繁殖を防止することができ、貝類や微生物等の繁殖による装置の閉塞や故障、ラインの閉塞等による淡水化システム１の処理効率の低下を防止することができる。
【００３０】
凝集剤供給装置２１は、第１原水ラインＬ１を流れる原水に、凝集剤供給ラインＬ２１を介して原水中の固形物質を凝集する凝集剤を供給する。例えば、凝集剤供給装置２１は、凝集剤として塩化第二鉄を原水に供給する。例えば、凝集剤供給装置２１は、原水に対して、２〜３ｍｇ／Ｌの凝集剤を供給するように設定されている。
【００３１】
第１原水ラインＬ１を流れる原水には、電解装置６０と接続される酸性水ライン（調整剤ライン）Ｌ６２から、調整剤が供給される。具体的には、調整剤の供給によって原水のｐＨ値を４．０〜６．５程度に調整することで、原水中の固形物質が凝集剤によって凝集されやすくなる。この調整剤ラインＬ６２から供給される調整剤は、電解装置６０で生成された酸性水に塩化水素発生装置４０で生成された塩化水素を溶解させて得られる。
【００３２】
濾過装置２２は、例えば、ＭＦ膜モジュールを多数段に並列配置した膜分離装置である。この濾過装置２２には、第１原水ラインＬ１を介して凝集剤によって凝集された固形物質を含む原水が流入する。濾過装置２２は、流入する原水を濾過し、濾過した原水を第２原水ラインＬ２を介して淡水化装置３０に送水する。
【００３３】
濾過装置２２から排出された原水は、調整剤ラインＬ６２を介して供給される調整剤が酸性ｐＨ値が（６．５以下）に調整された後に淡水化装置３０に送水される。ここで、酸性にした原水を後段の淡水化装置３０に供給するのは、濃縮やｐＨ変化によって淡水化装置３０の膜面に原水中のスケール成分（鉄やマンガン等の金属、カルシウムやマグネシウム等の炭酸塩）が析出し、膜の機能が損なわれるのを防止するためである。前処理装置２０が酸性にした原水を淡水化装置３０に送水することで、原水中のスケール成分を溶解し、淡水化装置３０において原水が濃縮した場合にもスケール成分の膜面への析出を防止することができる。
【００３４】
また、濾過装置２２では、例えば所定時間（３０分等）毎に逆洗水を逆流することで、原水から除去された固形物質を含む排水を排水ラインＬ２２から排出する。なお、濾過装置２２には、膜分離装置の他、沈殿池又は濾過池等の原水から固形物を濾過する手段を利用してもよい。
【００３５】
［淡水化装置］
淡水化装置３０は、塩分を含む原水を淡水化する装置であって、図３に示すように、第２原水ラインＬ２介して流入する原水を濾過処理する第１濾過装置３２と、第１濾過装置３２から排出される濃縮水の圧力を回収して原水に圧力を加える動力回収装置３３と、第１濾過装置３２から流入する原水を濾過処理する第２濾過装置３６とを有している。
【００３６】
第２原水ラインＬ２を介して淡水化装置３０に流入した原水の一部は、ポンプ３１を介して第１濾過装置３２に送水され、残りの原水は、動力回収装置３３に送水される。例えば、第１濾過装置３２には、流入した原水の６割程度（具体的には、約４〜７割）が送水され、残りの４割程度（具体的には、約６〜３割）の原水が動力回収装置３３に送水される。この第１濾過装置３２に送水される原水と動力回収装置３３に送水される原水の割合は、第１濾過装置３２及び動力回収装置３３の運転条件に応じて調整される。
【００３７】
第２原水ラインＬ２には、ポンプ３１が設置されている。このポンプ３１は、高圧ポンプ（昇圧ポンプ）であって、前処理装置２０から送水された原水に第１濾過装置３２に必要な圧力（例えば、６〜７ＭＰａ程度（通常は、約６．５ＭＰａ））を与え、水圧を調整した原水を第１濾過装置３２に送水する。
【００３８】
動力回収装置３３は、第１濾過装置３２からラインＬ３１を介して流入する濃縮水の圧力エネルギーを回収し、第２原水ラインＬ２から流入する原水に回収した圧力を与える。具体的には、第１濾過装置３２は、第１濾過装置３２の運転圧力をほぼ維持した状態で動力回収装置３３に送水するため、この濃縮水から圧力エネルギーを回収して、第１濾過装置３２で必要な圧力の約５〜１０割の圧力を原水に与える。例えば、動力回収装置３３には、多段タービン水車方式等のタービン式やピストン式等の方法で圧力エネルギーから動力を回収する装置を利用することが可能であって、この動力回収装置３３の性能に応じて濃縮水から回収して原水に与えることのできる圧力が異なる。
【００３９】
また、動力回収装置３３は、加圧した原水を、ラインＬ３２を介して第２原水ラインＬ２の原水に合流させる。一方、動力回収装置３３は、原水を加圧することによって、数百ｋＰａ程度にまで減圧された濃縮水を第１濃縮水ラインＬ３３から排出する。
【００４０】
ラインＬ３２には、ポンプ３４が設置されている。このポンプ３４は、例えば、高圧ポンプ（昇圧ポンプ）であって、動力回収装置３３で加圧された原水に第１濾過装置３２で必要な圧力を与えて第２原水ラインＬ２を流れる原水に合流させる。
【００４１】
第１濾過装置３２は、アセチレンセルロース系の膜（ＣＡ膜）を使用する逆浸透膜モジュールであって、第２原水ラインＬ２を介して流入する原水を、濃縮水と膜透過水とに分離し、濃縮水を第１濾過装置３２の運転圧力をほぼ維持した状態でラインＬ３１を介して動力回収装置３３に送水する。また、第１濾過装置３２は、濃縮水を除いた原水（膜透過水）を、ラインＬ３４を介して第２濾過装置３６に送水する。
【００４２】
ラインＬ３４を流れる原水には、電解装置６０と接続されるアルカリ水ラインＬ６３からアルカリ水（苛性ソーダ水）が供給され、ｐＨ値が９以上に調整される。
【００４３】
ラインＬ３４には、ポンプ３５が設置されている。このポンプ３５は、例えば、高圧ポンプ（昇圧ポンプ）であって、アルカリ水の供給によってｐＨ値が調整されたラインＬ３４の原水を加圧して、第２濾過装置３６で必要な水圧（１〜３ＭＰａ）にして送水する。
【００４４】
第２濾過装置３６もＣＡ膜を使用する逆浸透膜モジュールであって、ラインＬ３４を介して流入する原水を、濃縮水と膜透過水とに分離し、濃縮水を第２濃縮水ラインＬ３５から排出する。また、第２濾過装置３６は、濃縮水を除いた原水（膜透過水）を処理水として処理水ラインＬ３から排水する。
【００４５】
第２濾過装置３６に送水される原水はアルカリ水の供給によりｐH値が９以上に調整されるため、原水にホウ酸として溶解しているホウ素は、ホウ酸イオンに解離される。このように、原水中のホウ酸をホウ酸イオンにすることにより、第２濾過装置３６でのホウ素除去性能を向上することができる。したがって、淡水化装置３０では、アルカリ水ラインＬ６３によってアルカリ水を供給することで、処理水の残留ホウ素濃度を低減することができる。
【００４６】
第１濃縮水ラインＬ３３は、電解前処理装置５０に接続されており、動力回収装置３３から排出される濃縮水の一部は電解前処理装置５０に送水されて、電解前処理装置５０で利用される。電解前処理装置５０には、必要な量の濃縮水のみを送水すればよいため、動力回収装置３３から排出された残りの濃縮水は、排水に必要な処理（例えば、海水との混合による希薄化）がされた後に放水してもよい。
【００４７】
また、第２濃縮水ラインＬ３５は、電解装置６０に接続されており、第２濾過装置３６から排出される濃縮液は、ポンプ３５によって与えられた圧力（１〜３ＭＰａ）をほぼ維持した状態で電解装置６０に送水されて電解装置６０で利用される。
【００４８】
なお、図１に示すように、淡水化装置３０から排出されて処理水ラインＬ３を流れる処理水には、電解装置６０と接続される調整剤ラインＬ６２から調整剤が供給され、中和（ｐH値７程度）される。また、処理水ラインＬ３を流れる処理水には、次亜塩素酸ナトリウム生成装置７０と接続される次亜塩素酸ナトリウムラインＬ７１から供給される次亜塩素酸ナトリウム水溶液によって消毒処理された後に、ユーザに送水される。
【００４９】
（淡水化装置の変形例）
上述した例では、第１濾過装置３２の膜モジュールも第２濾過装置３６の膜モジュールもＣＡ膜を使用していた。これに対し、第１濾過装置３２でＣＡ膜を使用し、第２濾過装置３６ではポリアミド系の膜（ＰＡ膜）を使用してもよい。ＰＡ膜は塩素に弱く塩素で劣化するため、塩素を含む原水の濾過には向いていないが、ＣＡ膜である第１濾過装置３２で塩素が十分に除去されていれば、第２濾過装置３６では、塩素による膜の劣化は生じない。一方、ＰＡ膜は、ＣＡ膜で十分に除去することの出来ない有機物やホウ素を除去することができる。
【００５０】
したがって、第１濾過装置３２でＣＡ膜を用い、第２濾過装置３６でＰＡ膜を用いることで、ＣＡ膜及びＰＡ膜の両方を使用することができるから、ＣＡ膜の第１濾過装置３２で塩素を除去するとともに、第１濾過装置３２のＣＡ膜で除去されなかった有機物やトリハロメタンをＰＡ膜の第２濾過装置３６で除去することができる。
【００５１】
また、第１濾過装置３２の膜モジュールでＰＡ膜を使用し、第２濾過装置３６の膜モジュールでＣＡ膜を使用してもよい。第１濾過装置３２でＰＡ膜を用い、第２濾過装置３６でＣＡ膜を用いた場合にも、ＰＡ膜とＣＡ膜との両方を使用することができるため、両方の膜の効果が期待できる。この場合、ＣＡ膜の第２濾過装置３６で塩素を除去する前にＰＡ膜の第１濾過装置３２で濾過処理されることになるから、塩素によるＰＡ膜の劣化防止のため、淡水化装置３０に送水される原水に重亜硫酸ナトリウム（ＳＢＳ）等の還元剤を原水に添加して残留塩素を除去しておく必要がある。
【００５２】
［塩化水素発生装置］
塩化水素発生装置４０は、塩素と水素を利用して塩化水素を発生させる装置である。具体的には、塩化水素発生装置４０には、塩素ラインＬ６１を介して電解装置６０から供給される塩素と、水素ラインＬ６４を介して電解装置６０から供給される水素とによって、塩化水素を発生させる。また、塩化水素発生装置４０は、発生させた塩化水素を酸性水ラインＬ６２の酸性水に供給する。酸性水に塩化水素を混合させると調整剤となる。塩化水素発生装置４０で発生した調整剤は、前処理装置２０に供給されるとともに、処理水ラインＬ３の原水に添加される。
【００５３】
また、ここで生成される塩化水素を水に溶解させて塩酸を生成し、この塩酸を淡水処理においてｐH値を調整する調整剤として使用することもできる。
【００５４】
［電解前処理装置］
電解前処理装置５０は、濃縮水からカルシウムイオン（Ｃａ2+）やマグネシウムイオン（Ｍｇ2+）等の多価陽イオン等の不純物を除去する装置であって、図４に示すように、第１濃縮水ラインＬ３３を介して流入する濃縮水を濾過する水酸化物濾過装置５１と、水酸化物濾過装置５１で濾過された濾過水に炭酸ガスを接触させる炭酸ガス接触装置５２と、炭酸ガス接触装置５２で発生した炭酸塩を含む処理水を濾過する炭酸塩濾過装置５３とを有している。
【００５５】
電解前処理装置５０は、淡水化装置３０と接続される第１濃縮水ラインＬ３３を介して濃縮水を流入する。第１濃縮水ラインＬ３３から流入する濃縮水には、淡水化装置３０において原水から除去された塩類とともに、カルシウムイオン（Ｃａ2+）やマグネシウムイオン（Ｍｇ2+）等の多価陽イオン等の不純物を含んでいる。したがって、電解前処理装置５０では、流入する濃縮水に、アルカリ水ラインＬ６３を介して電解装置６０で生成されたアルカリ水（苛性ソーダ水）を供給し、濃縮水のｐＨ値を９以上に調整する。アルカリ水が供給された濃縮水では、カルシウムイオン（Ｃａ2+）やマグネシウムイオン（Ｍｇ2+）等の多価陽イオンの不溶性の水酸化物が生成される。
【００５６】
水酸化物濾過装置５１には、アルカリ水が供給された濃縮水が流入する。水酸化物濾過装置５１は、濃縮水からカルシウムイオンやマグネシウムイオン等の多価陽イオンの不溶性の水酸化物をろ過し、水酸化物が除去された濃縮水（濾過水）を、ラインＬ５１を介して炭酸ガス接触装置５２に送水する。このとき、水酸化物の水への溶解度は、水酸化カルシウム０．１７ｇ／１００ｃｍ3（２５℃）、水酸化マグネシウム０．００１２ｇ／１００ｃｍ3（２５℃）であり、水酸化カルシウムの一部は膜の濾過水として膜を透過する。
【００５７】
また、水酸化物濾過装置５１は、濾過で濃縮水から除去された水酸化物は逆洗によって排水ラインＬ５２から排出する。このとき、水酸化物濾過装置５１は、逆洗用水として電解装置６０で発生する酸性水に塩化水素発生装置４０で発生した塩化水素を溶解させた酸を利用すれば、水酸化物濾過装置５１の膜表面に付着した水酸化物等の汚れを溶解して排出することができる。
【００５８】
炭酸ガス接触装置５２には、水酸化物濾過装置５１から濃縮水を流入するとともに、発電装置８０と接続される炭酸ガスラインＬ８１から炭酸ガスを多く含む排ガスが供給される。炭酸ガス接触装置５２では、濃縮水に炭酸ガスを接触させることにより、濃縮水に含まれるカルシウムイオンやマグネシウムイオン等の多価陽イオンと炭酸ガスによって炭酸塩を生成し、炭酸塩を含む濃縮水（処理水）をラインＬ５３を介して炭酸塩濾過装置５３に送水する。例えば、水酸化カルシウムとして水酸化物濾過装置５１の膜を透過したカルシウムイオンを不水溶性の炭酸カルシウムに変化させる。炭酸ガス接触装置５２は、多価陽イオンと未反応の炭酸ガスがあるときには、排ガスとして排気すればよい。
【００５９】
ここで、電解前処理装置５０では、炭酸ガスによって数マイクロメートル未満のマイクロバブル又は数ナノメートル未満のナノバブル等の微細気泡を生成する気泡生成手段（図示せず）を備えてもよい。微細気泡の炭酸ガスを濾過水と接触させた場合、多価陽イオンとの接触効率が向上するため、炭酸塩の生成効率も向上する。
【００６０】
炭酸塩濾過装置５３は、炭酸ガス接触装置５２から流入した濃縮水（処理水）を濾過する。これにより、濃縮水から、水酸化物濾過装置５１で除去することができなかったカルシウムイオンやマグネシウムイオン等の多価陽イオンで生成された炭酸塩を除去する。また、炭酸塩濾過装置５３は、炭酸塩が除去された濃縮水（濾過水）を濃縮水ラインＬ５４を介して電解装置６０に送水する。このように、炭酸ガス接触装置５２において濃縮水と炭酸ガスとを接触させることで、濃縮水（処理水）中のカルシウムイオンやマグネシウムイオンを十分に除去することができる。例えば、炭酸カルシウムの水への溶解度は０．００１４ｇ／１００ｃｍ3（２５℃）である。
【００６１】
一方、炭酸塩濾過装置５３は、濃縮水から除去した炭酸塩を逆洗によって排水ラインＬ５５から排出する。このとき、炭酸塩濾過装置５３は、逆洗用水として、電解装置６０で発生する酸性水に塩化水素発生装置４０で発生した塩化水素を溶解させた酸を利用すれば、炭酸塩濾過装置５３の膜表面に付着した炭酸塩等の汚れを溶解して排出することができる。
【００６２】
淡水化システム１の近くに発電所等の発電装置８０が存在する場合、図１に示すように、炭酸ガス接触装置５２が発電装置８０から排出される排ガスに含まれる炭酸ガスを利用することで、発電装置８０で発生する炭酸ガスを有効利用するとともに、炭酸ガスの大気への放出を削減することができる。その他、炭酸ガス接触装置５２は、大気中から収集した炭酸ガスを利用してもよいが、大気中の炭酸ガスの濃度は発電装置８０の排ガス中の炭酸ガスの濃度よりも低いため、発電装置８０の排ガスを利用した方が、効率良く炭酸塩を生成することができる。
【００６３】
［電解装置］
電解装置６０は、図５に示すように、陰極６１が設置される陰極室６２と、陽極６３が設置される陽極室６４と、陰極室６２と陽極室６４の間に設けられる電解処理室６５を有する隔膜型の電解装置である。陰極室６２と電解処理室６５の間は陽イオン交換膜６６で隔てられ、陽極室６４と電解処理室６５の間は陰イオン交換膜６７で隔てられている。
【００６４】
電解処理室６５は、電解前処理装置５０と接続される濃縮水ライン５４からカルシウムイオンやマグネシウムイオン等の多価陽イオンが十分に除去された濃縮水（塩化ナトリウム濃度：約５〜１０％）を流入する。陰極６１と陽極６３との間に電圧をかけると、図５に示すように、濃縮水中のナトリウムイオン（Ｎａ+）等の陽イオンは陽イオン交換膜６６を透過して電解処理室６５から陰極室６２へ移動する。
【００６５】
陰極室６２には、淡水も供給されるが、電解処理室６５から移動するナトリウムイオンによって、ナトリウムイオンの濃度が上がり、０．１〜３規定のアルカリ水（苛性ソーダ水）が生成される。またこのとき、陰極６１では水素が発生する。陰極室６２で生成されたアルカリ水は、図１に示すように、アルカリ水ラインＬ６３を介して、淡水化装置３０、電解前処理装置５０及び次亜塩素酸ナトリウム生成装置７０に供給されて利用される。アルカリ水はその他、逆浸透膜モジュールの塩素による酸化劣化防止のために使用する次亜硫酸ナトリウム（ＳＢＳ）の生成や、その他のプロセスでｐＨ値の調整に利用することもできる。また、陰極室６２で発生した水素は、図１に示すように、水素ラインＬ６４を介して、塩化水素発生装置４０及び発電装置８０に供給される。
【００６６】
電解装置６０が流入する濃縮水は、ナトリウムイオン（Ｎａ+）の他、炭酸イオン（ＣＯ3-）や塩化物イオン（Ｃｌ-）等の陰イオンを含んでいる。陰極６１と陽極６３との間に電圧をかけると、図５に示すように、濃縮水中の炭酸イオンや塩化物イオン等の陰イオンは、陰イオン交換膜６７を透過して電解処理室６５から陽極室６４へ移動する。
【００６７】
陽極室６４には、淡水も供給されるが、電解処理室６５から移動する濃縮水中の炭酸イオンや塩化物イオンの濃度が上がり、酸性水が生成される。またこのとき、陽極６３では塩素イオン（Ｃｌ-）の酸化により塩素（Ｃｌ2）が発生する。陽極室６４で生成された酸性水は、図１に示すように、酸性水ラインＬ６２から排出され、塩化水素発生装置４０で発生させた塩化水素を溶解させてｐＨ値を１〜６に調整した後、調整剤として前処理装置２０に供給され、淡水化装置３０で淡水化された処理水に混合させる。また、陽極室６４で発生した塩素は、塩素ラインＬ６１を介して、前処理装置２０、塩化水素発生装置４０及び次亜塩素酸ナトリウム生成装置７０に供給される。塩素はその他、淡水の消毒剤とすることもできる。
【００６８】
塩濃度（陽イオン、陰イオン）が下がった電解水は、電解処理室６５から排出され、例えば、電解処理されていない濃縮水を希釈して海に放流される。または、塩濃度が下がった電解水は、原水に循環してもよい。
【００６９】
［次亜塩素酸ナトリウム生成装置］
次亜塩素酸ナトリウム生成装置７０には、電解装置６０で生成されたアルカリ水（苛性ソーダ水）と塩素とが供給され、アルカリ水と塩素とを接触させて次亜塩素酸ナトリウム水を生成する装置である。
【００７０】
一般的な次亜塩素酸ナトリウム生成装置は、図６に示すように、陰極７１と陽極７２を内部に有する反応槽７３内で海水や濃縮海水を電解し、電解処理して次亜塩素酸ナトリウム水を生成している。本願発明においても、この図６に示すような次亜塩素酸ナトリウム生成装置を利用しても良いが、処理水中に含まれる臭化物イオン（Ｂｒ-）濃度が高いとき、臭化物イオンが電解酸化されて、次亜塩素酸ナトリウム以外に発癌性の臭素酸イオン（ＢｒＯ3-）が副生成される。淡水を飲料水としてユーザに送る場合、図６に示すような次亜塩素酸ナトリウム水を消毒剤として使用した場合、電解する前に臭化物イオンの除去等の臭素酸イオン（ＢｒＯ3-）の対策が必要になる。
【００７１】
これに対し、上述したように、電解装置６０で生成されたアルカリ水を塩素と接触させて次亜塩素酸ナトリウム水を生成する方法の場合、次亜塩素酸ナトリウム生成装置に入ることがほとんどなく、臭素酸イオンの生成を抑制することができる。
【００７２】
［発電装置］
発電装置８０は、例えば、ガスタービン発電機等の発電装置であって、図１に示すように、天然ガス等の燃料ガスが供給されるとともに、水素ラインＬ６４を介して電解装置６０で発生した水素が供給される。また、発電装置８０には、大気中の空気が供給され、燃料ガスと水素を燃焼させて発電する。
【００７３】
発電装置８０からは、炭酸ガス（ＣＯ2）を多く含む燃焼ガスが排ガスとして排出され、炭酸ガスラインＬ８１を介して電解前処理装置５０に供給される。
【００７４】
上述したように、本発明の実施形態に係る淡水化システム１では、電解装置６０で濃縮水を電解する前に、電解前処理装置５０の水酸化物濾過装置５１が、アルカリ水でｐH値を調整した濃縮水から多価陽イオンの不溶性の水酸化物を除去している。また、電解装置６０で濃縮水を電解する前に、電解前処理装置５０の炭酸塩濾過装置５３が、炭酸ガス接触装置５２で炭酸ガスと接触させることで生成された多価陽イオンの炭酸塩を濃縮水から除去している。したがって、電解装置６０が処理対象とする濃縮水は多価陽イオンを十分に除去されており（塩化ナトリウムが５〜１０％）、電解装置６０内のイオン交換膜表面に析出するファウリングによって生じる電解効率の悪化や、陰極上で多価陽イオンが還元されることによる消費電力が原因となる電極の劣化やコストの増大を抑制することができる。このとき、淡水化システム１では、多価陽イオンの除去で必要な薬品に、淡水化処理の過程で生じる物質を利用して生成するため、薬品に必要なコストを低減することができる。
【００７５】
また、淡水化システム１では、電解前処理装置５０において濃縮水にアルカリ水（苛性ソーダ水）を添加してカルシウムイオンやマグネシウムイオン等の多価陽イオンの不溶性の水酸化物を濾過して除去した後に、炭酸ガスと接触させてカルシウムイオンやマグネシウムイオン等の多価陽イオンの炭酸塩を濾過して除去している。これにより、淡水化装置３０で酸性にした濃縮水を一旦アルカリ性にしてから炭酸ガスと接触させており、酸性下で接触させるよりも炭酸カルシウムが析出しやすい。すなわち、電解装置６０の膜状へのファウリングによって生じる電解効率の低下の原因になるカルシウムイオンの流入を抑制できるため、電解装置６０の寿命を長くすることができるとともに、電解コストを低減することができる。一方、濃縮水を炭酸ガスと接触させて濃縮水中のイオンを炭酸塩とした後に、アルカリ水（苛性ソーダ水）によってｐH値を９以上にした場合、炭酸濃度があがる。すなわち、濃縮水をより酸性にした濾過水のｐH値を９以上にするために、アルカリ（苛性ソーダ）の消費量が増加する。したがって、アルカリにしてから炭酸と接触させる方が、必要なアルカリ水（苛性ソーダ水）の量を減少することが可能となり、電解で必要なコストを低減することができる。
【００７６】
さらに、淡水化システム１では、電解装置６０で生成したアルカリ水（苛性ソーダ水）を、電解装置６０で発生した塩素と接触させることにより、臭化物イオンが、次亜塩素酸ナトリウム生成装置７０に入ることがほとんどなく、臭素酸イオンの生成を抑制することができる。
【００７７】
また、淡水化システム１では、発電装置８０から排出される炭酸ガス濃度の高い排ガスと濾過水とを接触させることにより、効率良く炭酸塩を生成することができる。加えて、炭酸ガスをマイクロバブルやナノバブルとした状態で濾過水と接触させることにより、濾過水と炭酸ガスとの接触効率が向上して炭酸塩の生成速度が上がり、炭酸ガス接触装置５２を小型化することができる。
【００７８】
さらに、発電装置８０の排ガス中の炭酸ガスを炭酸カルシウムとして不溶性の固形物として分離することができる。すなわち、炭酸ガスの固定化が可能となり、温暖化問題で年々厳しくなる発電プラントの炭酸ガスの排出量を削減することができる。また、電解により多量に発生した水素の一部を発電用の燃料として利用することで、淡水化プラント１で発生した水素を有効利用し、エネルギー効率を向上させることができる。
【符号の説明】
【００７９】
１…淡水化システム
１０…送水ポンプ
２０…前処理装置
３０…淡水化装置
４０…塩化水素発生装置
５０…電解前処理装置
５１…水酸化物濾過装置
５２…炭酸ガス接触装置
５３…炭酸塩濾過装置
５４…濃縮水ライン
６０…電解装置
７０…次亜塩素酸ナトリウム生成装置
８０…発電装置
Ｌ６３…アルカリ水ライン
Ｌ７１…次亜塩素酸ナトリウムライン
【図１】
2011056345.tif 000003
【図２】
2011056345.tif 000004
【図３】
2011056345.tif 000005
【図４】
2011056345.tif 000006
【図５】
2011056345.tif 000007
【図６】
2011056345.tif 000008